(57)【要約】【課題】  道路、石材、耐火物レンガ等の切断を行うカッターに関騒音問題を解決するためになされたものであって、カッターそのものについての騒音低減を実現可能な低騒音カッターを提供する。【解決手段】  本発明は、円盤状のカッター基盤１１と、前記カッター基盤１１の外周縁に設けられたチップ１２とを備えた低騒音カッター１０であって、前記カッター基盤１１の中心部から径方向に、少なくとも一箇所以上の空隙部を有すべく、前記カッター基盤１１の同心円上に、複数のスリットが連続して設けられており、前記スリットには充填剤が充填されていることを特徴としている。【選択図】  図１
2006103217.tif 000002
【特許請求の範囲】
【請求項１】
円盤状のカッター基盤と、前記カッター基盤の外周縁に設けられたチップとを備えた低騒音カッターであって、
前記カッター基盤の中心部から径方向に、少なくとも一箇所以上の空隙部を有すべく、前記カッター基盤の同心円上に、複数のスリットが連続して設けられており、
前記スリットには充填剤が充填されている
ことを特徴とする低騒音カッター。
【請求項２】
円盤状のカッター基盤と、前記カッター基盤の外周縁に設けられたチップとを備えた低騒音カッターであって、
前記カッター基盤の中心部から径方向に、少なくとも一箇所以上の空隙部を有すべく、前記カッター基盤の同心円上に、複数のスリットが連続して設けられており、
前記スリットには充填剤が充填されており、
前記充填剤が充填されたスリットを覆うべく、前記カッター基盤の両面に樹脂層が設けられており、
前記カッター基盤の中心部近傍両面には、第一金属粉末塗装層が設けられている
ことを特徴とする低騒音カッター。
【請求項３】
前記カッター基盤の両面に、さらに第二金属粉末塗装層が設けられている
請求項１または２に記載の低騒音カッター。
【請求項４】
円盤状のカッター基盤と、前記カッター基盤の外周縁に設けられたチップとを備えた低騒音カッターの製造方法であって、
前記カッター基盤の中心部から径方向に、少なくとも一箇所以上の空隙部を有すべく、前記カッター基盤の同心円上に、複数のスリットを穿孔するスリット穿孔工程と、
前記スリットに充填剤を充填する充填工程とを備えた
ことを特徴とする低騒音カッターの製造方法。
【請求項５】
円盤状のカッター基盤と、前記カッター基盤の外周縁に設けられたチップとを備えた低騒音カッターの製造方法であって、
前記カッター基盤の中心部から径方向に、少なくとも一箇所以上の空隙部を有すべく、前記カッター基盤の同心円上に、複数のスリットを穿孔するスリット穿孔工程と、
前記スリットに充填剤を充填する充填工程と、
前記充填剤が充填されたスリットを覆うべく、前記カッター基盤の両面に樹脂を塗布する樹脂塗布工程と、
前記カッター基盤の中心部近傍両面に、金属粉末塗装を施す第一金属粉末塗装工程とを備えた
ことを特徴とする低騒音カッターの製造方法。
【請求項６】
前記カッター基盤の両面に、さらに金属粉末塗装を施す第二金属粉末塗装工程を行う
請求項４または５に記載の低騒音カッターの製造方法。
【発明の詳細な説明】
【技術分野】
【０００１】
本発明は、道路等の切断に使用されるカッターに関し、詳しくは、回転駆動時（切断時）に発生する騒音を低減させることが可能な低騒音カッター、および低騒音カッターの製造方法に関するものである。
【背景技術】
【０００２】
道路（コンクリートやアスファルト等）、石材、耐火物レンガ等の切断を行う場合には、従来から図７に示すようなカッター７０が用いられている。
【０００３】
この図７に示された道路等の切断に使用されるカッター７０は、鋼鉄製円盤であるカッター基盤７１と、このカッター基盤の外周に設けられているチップ７２とを用いて構成されている。チップ７２としては、例えば、ダイヤモンドパウダーと数種の金属パウダーとを焼結したものが用いられる。
【０００４】
通常、カッター７０を構成するカッター基盤７１の中心部には、駆動手段の駆動軸に取り付けるための取付穴７３が設けられている。そして、カッター７０は、この取付穴７３を介して駆動手段（図示省略）に取り付けられ、駆動手段の回転駆動力によって回転駆動し、カッター７０を構成するチップ７２によって道路等の切断処理が行われる。
【０００５】
【特許文献１】特開２０００−７３３１０号公報
【発明の開示】
【発明が解決しようとする課題】
【０００６】
ところで、図６に示したようなカッターを用いて道路等の切断を行う際の問題の一つに、カッターから生ずる騒音の問題がある。
【０００７】
このような騒音問題を解決する手段としては、例えば、特許文献１のように、カバーを設ける手段が考えられる。
【０００８】
しかしながら、この特許文献１に示すようなカバーを設ける手段は、カッターを含めた装置全体としての騒音を低減することは可能かもしれないが、カッター自身の騒音問題を解決するものではない。つまり、この特許文献１にて開示されている技術は、既に使用されている装置の騒音低減を行う際には、装置の大幅な修正・改良等が必須となるため、汎用的ではない。
【０００９】
すなわち、既に使用されている装置の騒音低減を比較的容易に実現するためには、カバー等を追加するような装置全体に関する改良を加えるのではなく、カッターそのものについての騒音低減を実現する必要がある。
【００１０】
そこで、本発明は、道路（コンクリートやアスファルト等）、石材、耐火物レンガ等の切断を行うカッターに関する上記従来技術にかかる騒音問題を解決するためになされたものであって、カッターそのものについての騒音低減を実現可能な低騒音カッターを提供することを課題とする。
また、本発明は、低騒音カッターの製造方法を提供することを課題とする。
【課題を解決するための手段】
【００１１】
本発明は、上記課題を解決するためになされたものであって、円盤状のカッター基盤と、前記カッター基盤の外周縁に設けられたチップとを備えた低騒音カッターであって、前記カッター基盤の中心部から径方向に、少なくとも一箇所以上の空隙部を有すべく、前記カッター基盤の同心円上に、複数のスリットが連続して設けられており、前記スリットには充填剤が充填されていることを特徴としている。
【００１２】
また、本発明は、円盤状のカッター基盤と、前記カッター基盤の外周縁に設けられたチップとを備えた低騒音カッターであって、前記カッター基盤の中心部から径方向に、少なくとも一箇所以上の空隙部を有すべく、前記カッター基盤の同心円上に、複数のスリットが連続して設けられており、前記スリットには充填剤が充填されており、前記充填剤が充填されたスリットを覆うべく、前記カッター基盤の両面に樹脂層が設けられており、前記カッター基盤の中心部近傍両面には、第一金属粉末塗装層が設けられていることを特徴としている。
【００１３】
また、本発明にかかる低騒音カッターにおいては、前記カッター基盤の両面に、さらに第二金属粉末塗装層が設けられている構成が好ましい。
【００１４】
本発明は、上記課題を解決するためになされたものであって、円盤状のカッター基盤と、前記カッター基盤の外周縁に設けられたチップとを備えた低騒音カッターの製造方法であって、前記カッター基盤の中心部から径方向に、少なくとも一箇所以上の空隙部を有すべく、前記カッター基盤の同心円上に、複数のスリットを穿孔するスリット穿孔工程と、前記スリットに充填剤を充填する充填工程とを備えたことを特徴としている。
【００１５】
また、本発明は、円盤状のカッター基盤と、前記カッター基盤の外周縁に設けられたチップとを備えた低騒音カッターの製造方法であって、前記カッター基盤の中心部から径方向に、少なくとも一箇所以上の空隙部を有すべく、前記カッター基盤の同心円上に、複数のスリットを穿孔するスリット穿孔工程と、前記スリットに充填剤を充填する充填工程と、前記充填剤が充填されたスリットを覆うべく、前記カッター基盤の両面に樹脂を塗布する樹脂塗布工程と、前記カッター基盤の中心部近傍両面に、金属粉末塗装を施す第一金属粉末塗装工程とを備えたことを特徴としている。
【００１６】
また、本発明にかかる低騒音カッターの製造方法においては、前記カッター基盤の両面に、さらに金属粉末塗装を施す第二金属粉末塗装工程を行うことが好ましい。
【発明を実施するための最良の形態】
【００１７】
図１は、本発明の実施形態にかかる低騒音カッター１０の概略図を示したものである。具体的には、図１（ａ）は、本実施形態にかかる低騒音カッター１０の概略平面図を示し、図１（ｂ）は、図１（ａ）のＩ−Ｉ断面図を示したものである。
また、図２は、図１（ｂ）の要部拡大図を示したものである。
さらに、図３は、図１および図２にて示した本実施形態にかかる低騒音カッター１０の製造工程の概略を示したものである。
【００１８】
以下、図１〜図３およびその他の図面に基づいて、本発明の実施形態を詳細に説明する。
【００１９】
まず、図３に基づいて、本実施形態にかかる低騒音カッター１０の製造工程について説明する。本実施形態にかかる低騒音カッター１０は、図３（ａ）からはじまり、図３（ｂ）、図３（ｃ）、図３（ｄ）、図３（ｅ）、図３（ｆ）の工程を経て製造される。
【００２０】
本実施形態にかかる低騒音カッターを製造する際には、まず、図３（ａ）に示すような後述するスリット等が穿孔されていないカッター１０Ａ（以下「標準カッター」という。）を用意する。
この標準カッター１０Ａは、鋼鉄製円盤であるカッター基盤１１と、このカッター基盤１１の外周縁に設けられている複数のチップ１２とを用いて構成されている。そして、この標準カッターの中心部には、駆動手段の駆動軸（図示省略）に取り付けるための取付穴１３が設けられている。
【００２１】
このチップ１２は、ダイヤモンドパウダーと数種の金属パウダーとを焼結させて構成されている。ダイヤモンドパウダーは、例えば、３０メッシュ（０．６ｍｍ）〜５０メッシュ（０．３ｍｍ）程度の粒度のものが用いられ、金属パウダーは、例えば、２００メッシュ（０．０７５ｍｍ）〜５００メッシュ（０．０２５ｍｍ）程度の粒度のものが用いられる。金属パウダーとしては、コバルトや銅等の種々の金属が用いられ、必要となるチップの硬度に応じて、その種類や割合が調製される。
また、このチップ１２は、カッター基盤１１の外周縁に、銀ロウ付け、あるいはレーザー溶接によって溶着されている。
【００２２】
次いで、図３（ａ）に示した標準カッターを構成するカッター基盤１１に、レーザー加工機を用いて複数のスリットを穿孔する（本発明の「スリット穿孔工程」に相当）。本実施形態においては、Ｓ字状のスリット３１が連続的に複数穿孔されている（図３（ｂ）参照）。より具体的には、図３（ｂ）に示すように、カッター基盤１１の同心円上に、同様の形状を有するＳ字状のスリット３１が、連続的に複数穿孔されている。
【００２３】
図４は、図３（ｂ）中に破線で示されたIV部の拡大図を示したものである。
図３（ｂ）および図４に示すように、本実施形態においては、カッター基盤１１の同心円上に、同様の形状を有するＳ字状のスリット３１が、連続的に複数穿孔されており、それぞれのスリット３１が、前後のスリット３１と重なり合うように設けられている。このＳ字状のスリット３１の幅は、１０インチ（約２５６ｍｍ）〜１８インチ（約４８９ｍｍ）程度の外径を有するカッターに対して、０．３ｍｍ〜０．５ｍｍ程度であることが好ましい。
【００２４】
図４に示すように、本実施形態にかかるそれぞれのスリット３１は、前後のスリット３１と重なり合うように設けられているため、カッター基盤１１の中心部から径方向に、少なくとも一箇所以上の空隙部を有することとなる。
【００２５】
具体的に、例えば、カッター基盤１１の中心部から径方向に示された、第一径方向基準線Ｒ１と、第二径方向基準線Ｒ２を例にとって説明する。
まず、この中心部から径方向に示された第一径方向基準線Ｒ１については、図４から明らかなように、スリット３１ｃと接することとなる。すなわち、この第一径方向基準線Ｒ１上には、スリット３１ｃのみが存在することとなるため、カッター基盤１１の中心部から径方向（第一径方向基準線Ｒ１方向）に、一箇所の空隙部３１ｃ１を有することとなる。
次に、この中心部から径方向に示された第二径方向基準線Ｒ２については、図４から明らかなように、スリット３１ａおよびスリット３１ｂの二つのスリットと接することとなる。すなわち、この第二径方向基準線Ｒ２上には、二つのスリット３１ａ，３１ｂが存在することとなるため、カッター基盤１１の中心部から径方向（第二径方向基準線Ｒ２方向）に、二箇所の空隙部３１ａ２，３１ｂ２を有することとなる。
【００２６】
また、本実施形態においては、この図４に示すように、複数のチップ１２がカッター基盤１１の外周縁に対して、それぞれ一つずつ独立してレーザー溶接によって溶着されている。
【００２７】
この図３（ｂ）に示すように、複数のスリット３１が連続して穿孔された状態のカッターを、以下、有スリットカッター１０Ｂという。
【００２８】
図３に戻り、図３（ｂ）のスリット穿孔工程の次には、図３（ｃ）に示すように、それぞれのスリット３１に対して、充填剤の充填処理を行う（本発明の「充填工程」に相当）。より具体的には、図３（ｃ）に示すように、カッター基盤１１の同心円上に連続して複数設けられたスリット３１の全てに対して、充填剤３２を充填している。
【００２９】
図５は、図３（ｃ）中に破線で示されたV部の拡大図を示したものである。
図５に示すように、本実施形態においては、スリット３１の内部を満たすように、充填剤３２が充填されており、この充填剤３２としては、ゴムが用いられる。
【００３０】
この図３（ｃ）に示すように、複数のスリット３１に対してゴムが充填された状態のカッターを、以下、有充填カッター１０Ｃ（本発明の「低騒音カッター」に相当）という。
【００３１】
図３に戻り、図３（ｃ）の充填工程の次には、図３（ｄ）に示すような樹脂を用いた塗布工程（本発明の「樹脂塗布工程」に相当）と、取付穴１３周辺に銅粉末（本発明の「金属粉末」に相当）を用いた銅粉末塗装工程（本発明の「第一金属粉末塗装工程」に相当、以下「第一銅粉末塗装工程」という。）とが行われる。
【００３２】
具体的に、樹脂塗布工程は、同心円上に連続して設けられた複数のスリット３１（充填剤３２が充填されたスリット３１）からなる円状の列（スリット列）を覆うように、カッター基盤１１の両面にポリエステル樹脂の塗布工程が行われて、この領域には、樹脂層３３（本発明の「樹脂層」に相当）が形成されることとなる。
【００３３】
また、第一銅粉末塗装工程は、カッター基盤１１の中心部に設けられた取付穴１３周辺（後述するフランジによる締め付け部分）両面に対して、銅粉末の塗装が行われて、この領域には、第一銅粉末塗装層３４（本発明の「第一金属粉末塗装層」に相当）が形成されることとなる。
【００３４】
図３（ｄ）に示すように、この樹脂塗布工程と第一銅粉末塗装工程とが行われた状態においては、樹脂層３３と第一銅粉末塗装層３４との間（径方向の所定領域）には、カッター基盤１１そのものが表出している部分がある。
【００３５】
この図３（ｄ）に示すように、樹脂塗布工程と第一銅粉末塗装工程とが施された状態のカッターを、以下、第一塗装済カッター１０Ｄ（本発明の「低騒音カッター」に相当）という。
【００３６】
次いで、図３（ｄ）に示した樹脂塗布工程と第一銅粉末塗装工程とを施した後には、樹脂層３３および第一銅粉末塗装層３４を含んだ第一塗装済カッター１０Ｄの両面全体に対して、銅粉末（本発明の「金属粉末」に相当）を用いた銅粉末塗装工程（本発明の「第二金属粉末塗装工程」に相当、以下「第二銅粉末塗装工程」という。）が行われる（図３（ｅ）参照）。
【００３７】
この第二銅粉末塗装工程は、外周縁近傍を除いたカッター基盤１１の全体両面に対して行われ、この工程によって、図３（ｅ）に示すように、第二銅粉末塗装層３５（本発明の「第二金属粉末塗装層」に相当）が形成されることとなる。
【００３８】
この図３（ｅ）に示すように、第二銅粉末塗装工程が施された状態のカッターを、以下、第二塗装済カッター１０Ｅ（本発明の「低騒音カッター」に相当）という。
【００３９】
次いで、第二塗装済みカッター１０Ｅ（図３（ｅ）参照）に対して、メタリック処理が施されて、すなわち、第二塗装済カッター１０Ｅの両面にメタリック層３６が形成されることによって、本実施形態にかかる低騒音カッター１０が構成されることとなる（図３（ｆ）参照）。
【００４０】
本実施形態においては、以上説明したように、図３に示すような工程を経て、図１および図２に示すような低騒音カッター１０が製造されている。
この低騒音カッターの構成は、図２の断面図からも明らかであって、その外周縁にチップ１２が溶着されたカッター基盤１１の中心部分には、取付穴１３が設けられている。そして、カッター基盤１１の同心円上には、充填剤３２が充填された複数のスリット３１（スリット列）が設けられており、カッター基盤１１の両面の所定領域には、樹脂層３３と第一銅粉末塗装層３４とが形成され、外周縁近傍を除いたカッター基盤１１の全体両面には第二銅粉末塗装層３５が形成されており、この第二銅粉末塗装層３５表面にはメタリック層３６が形成されている。
【００４１】
以上のように構成された本実施形態にかかる低騒音カッター１０は、実際に道路（コンクリートやアスファルト等）、石材、耐火物レンガ等の切断に用いる場合には、例えば、図６に示すような態様にて使用される。
【００４２】
この図６は、本実施形態にかかる低騒音カッター１０の切断使用時における概略図を示したものであって、具体的には、低騒音カッター１０の両面からフランジＦにて挟持した状態で、駆動手段（図示省略）の駆動軸Ｊを取付穴１３に挿通させ、ナットＮ（フランジ締付ナット）にて駆動軸Ｊを締結する。つまり、フランジＦ、駆動軸Ｊ、およびナットＮを用いて、駆動手段からの回転駆動力が適切に低騒音カッター１０に伝わるように、低騒音カッター１０を駆動手段に装着する。
【００４３】
本実施形態においては、例えば、１５００ｍ／分〜１８００ｍ／分（約１０４５ｒｐｍ〜１２５４ｒｐｍ）程度の速度（回転数）にて、低騒音カッター１０を回転駆動させて、道路等の切断処理が行われる。
【００４４】
本実施形態にかかる低騒音カッター１０は、以上のように構成されており、その構成に基づいて、次のような効果を得ることができる。
【００４５】
まず、本実施形態においては、図３（ｆ）に示された低騒音カッター１０のみが騒音を低減可能な「低騒音カッター」ではなく、図３の各図（図３（ａ）を除く）に示されたそれぞれのカッター１０Ｂ，１０Ｃ，１０Ｄ，１０Ｅが、従来のカッターよりも騒音を低減することができる「低騒音カッター」である。
【００４６】
具体的に説明すると、図３（ａ）に示した標準カッター１０Ａから発生する騒音を基準とすれば、有スリットカッター１０Ｂ（低騒音カッター）の場合、約２０％の騒音を低減できる。
例えば、１４インチ（外径約３５５ｍｍ）の標準カッター１０Ａと、この標準カッター１０Ａの内側５０ｍｍのところに（直径２５５ｍｍ程度の同心円上に）０．３ｍｍ幅のＳ字状のスリット３１（スリット列）を設けた有スリットカッター１０Ｂとを比較した場合、標準カッター１０Ａから発生する音は９７ｄＢ程度であったが、有スリットカッター１０Ｂから発生する音は７８ｄＢ程度であった。
【００４７】
このように複数のスリット３１を設けて騒音が低減されるのは、カッターにて切断処理等を行う際に、カッターの刃先（チップ１２）にて発生した振動がこのスリット３１にて吸収されて、カッター基盤１１の内側（スリット３１から中心部にわたる領域）に伝わりにくくなるためであると考えられる。本実施形態においては、カッターの同心円上に隙間無く空隙部を有する構成を採用しているため、効果的にカッター刃先の振動を吸収することができる。
【００４８】
また、この有スリットカッター１０Ｂに充填剤３２であるゴムを充填した有充填カッター１０Ｃについては、その発生する音は６７ｄＢ程度であったため、さらに１０％程度の騒音低減が実現可能であることが明らかとなった。
【００４９】
このようにスリット３１に充填剤３２を充填することによって騒音が低減されるのは、充填剤３２によって、さらに効果的にカッターの刃先にて発生した振動を吸収し、その振動がカッター基盤１１の内側（スリット３１から中心部にわたる領域）に伝わりにくくなるためであると考えられる。
【００５０】
また、このように充填剤３２を充填すれば、カッターそのものの「腰」も強くなるため、より振動を抑制して、より効果的に騒音低減を実現できる。
因みに、有スリットカッター１０Ｂの場合であっても、標準カッター１０Ａと殆ど変わらない腰の強さを有し、有充填カッター１０Ｃにおいては、標準カッター１０Ａと同等の腰の強さを有することとなる。
つまり、道路等の切断処理にカッターを用いる場合には、カッターの強靭さが要求されるが、本実施形態にかかるカッター１０Ｂ，１０Ｃ，１０Ｄ，１０Ｅは、標準カッター１０Ａと同等あるいは同等以上の強靭さを有するため、従来と同様に、道路等の切断処理に使用することが可能である。
【００５１】
さらに、有充填カッター１０Ｃに対して、樹脂塗布工程と第一銅粉末塗装工程とを施した第一塗装済カッター１０Ｄについては、その発生する音は６０ｄＢ程度であったため、さらに１０％程度の騒音低減が実現可能であることが明らかとなった。
【００５２】
この第一塗装済カッター１０Ｄは、図６等にて示したように、フランジＦにて締め付ける部分に、第一銅粉末塗装層３４が設けられている。このような構成によれば、この第一銅粉末塗装層３４がカッターの刃先（チップ１２）からの振動および駆動軸Ｊからの振動を効果的に抑制する。したがって、第一塗装済カッター１０Ｄによれば、上述したように、有充填カッター１０Ｃからさらに騒音を低減することが可能となる。
【００５３】
また、第一塗装済カッター１０Ｄの両面全体（カッター外周縁部を除く）に第二銅粉末塗装層３５を設けた第二塗装済カッター１０Ｅについては、その発生する音は５５ｄＢ程度であったため、さらに１０％程度の騒音低減が実現可能であることが明らかとなった。
【００５４】
この第二塗装済カッター１０Ｅは、上述したように、カッターの略全面にさらに第二銅粉末塗装層３５が設けられているため、これによって刃先で発生する振動および駆動軸からの振動等をさらに効果的に抑制することができる。したがって、この第二塗装済カッター１０Ｅは、第一塗装済カッター１０Ｄからさらに騒音を低減することが可能となる。
【００５５】
さらに、本実施形態にかかる低騒音カッター１０は、最後にメタリック処理を行って、カッター両面にメタリック層３６を形成している。このような構成によれば、メタリック層３６がカッター基盤１１上の各層を効果的に保護することとなるため、チップ１２（ダイヤモンドチップ）が消耗するまで低騒音カッター１０の低騒音効果を適切に維持することができる。
【００５６】
本実施形態においてカッターの外周縁に溶着されているチップ１２は、先にも説明した通り、ダイヤモンドパウダーと金属パウダーとを焼結したものであって、ダイヤモンドパウダーが金属パウダーで保持されたような構成を有している。
従来技術にかかるカッター（図７参照）は、本実施形態にかかるカッターよりも振動および騒音が大きい。上述したように、この振動の大きさが騒音の大きさにつながることではあるが、この振動の大きさは、騒音に加えてカッターの寿命にも大きく影響する。
すなわち、振動が多く大きくなるとダイヤモンドパウダーが多く脱落し、無駄な消耗を行っていることとなって、延いては、チップの寿命が短くなる。
【００５７】
本実施形態にかかる低騒音カッター１０Ｂ，１０Ｃ，１０Ｄ，１０Ｅ，１０は、先にも説明した通り、従来と比較して振動の吸収性に優れるため、騒音低減は勿論のこと、当然のことながら、チップ１２からのダイヤモンドパウダーの無駄な脱落（消耗）も効果的に低減させることができる。
例えば、本実施形態にかかる低騒音カッター１０であれば、ダイヤモンドパウダーの脱落を低減させて、従来品（図７参照）よりも、約２０％程度寿命を長くすることができる。
【００５８】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００５９】
本実施形態においては、標準カッターにスリットを穿孔等して、本実施形態にかかる低騒音カッターを製造する場合について説明したが、本発明はこの構成に限定されるものではない。したがって、例えば、チップ等がまだ溶着されていないカッター基盤に対して、スリット穿孔工程、充填工程、および銅粉末塗装工程等を施した後、そのカッター基盤に対してチップを溶接し、本実施形態にかかる低騒音カッターを構成してもよい。
【００６０】
また、本実施形態においては、カッター基盤が鋼鉄製である場合について説明したが、本発明はこの構成に限定されるものではない。したがって、例えば、カッター基盤は、チタン合金等で構成してもよい。
【００６１】
また、本実施形態においては、「Ｓ字状」のスリットを設けた場合について説明したが、本発明はこの構成に限定されるものではない。したがって、カッター基盤の中心部から径方向に、少なくとも一箇所以上の空隙部を有すべく、カッター基盤の同心円上に、複数のスリットが連続して設けられておれば、そのスリット形状は直線やＵ字状等の他の形状であってもよい。
【００６２】
さらに、本実施形態においては、カッター基盤の中心部から径方向に、少なくとも一箇所以上の空隙部を有すべく、カッター基盤の同心円上に、複数のスリットが連続して設けられている場合について説明したが、本発明はこの構成に限定されるものではない。したがって、例えば、少なくとも一箇所以上の空隙部を有すべく、カッター基盤の二つ以上の同心円上に、複数のスリットを連続して設けるべく構成してもよい。つまり、図１等にて示されたスリット列（一つの同心円上に連続して設けられた複数のスリットからなる円状の列）を径方向に複数列設けるような構成としてもよい。
【００６３】
また、本実施形態においては、スリットに充填する充填剤としてゴムを用いる場合について説明したが、本発明はこの構成に限定されるものではなく、例えば、ウレタン樹脂、鉛等を充填剤として用いてもよい。
【００６４】
また、本実施形態においては、充填剤にて充填されたスリット列を覆うようにポリエステル樹脂を用いた塗布工程を行う場合について説明したが、本発明はこの構成に限定されるものではなく、例えば、ウレタン樹脂、シリコン樹脂等を用いてこのスリット列を覆ってもよい。
【００６５】
また、本実施形態においては、取付穴周辺およびカッター基盤全面に、金属粉末として銅粉末を用いた塗装工程を行う場合について説明したが、本発明はこの構成に限定されるものではなく、例えば、アルミニウム、鉛等の金属粉末を用いてこの塗装工程を行ってもよい。
さらに、必要に応じて、取付穴周辺とカッター基盤全面とを異なる金属粉末を用いて塗装してもよく、例えば、取付穴周辺をアルミニウム粉末を用いて塗装し、その後カッター基盤全面を鉛粉末を用いて塗装してもよい。
【００６６】
また、本実施形態においては、図３に示したように、スリット穿孔工程、充填工程、樹脂塗布工程、第一銅粉末塗装工程、および第二銅粉末工程を経て、「低騒音カッター」が構成される場合について説明したが、本発明はこの構成に限定されるものではない。先にも説明した通り、これらの全ての工程を経なくとも、従来（標準カッター）よりも騒音を低減可能な「低騒音カッター」として、有スリットカッター１０Ｂ、有充填カッター１０Ｃ、第一塗装済カッター１０Ｄ等が利用可能である。そして、さらに、例えば、有充填カッター１０Ｃに対して第一銅粉末塗装工程を施したカッターや、有充填カッター１０Ｃに対して第二銅粉末塗装工程を施したカッターや、有充填カッター１０Ｃに対して第一銅粉末塗装工程および第二銅粉末塗装工程を施したカッター等も、騒音を低減可能な「低騒音カッター」として利用可能である。
【図面の簡単な説明】
【００６７】
【図１】本発明の実施形態にかかる低騒音カッターの概略図を示したものであり、図１（ａ）は本実施形態にかかる低騒音カッターの概略平面図を示し、図１（ｂ）は図１（ａ）のＩ−Ｉ断面図を示している。
【図２】図１（ｂ）の要部概略拡大図を示したものである。
【図３】本実施形態にかかる低騒音カッターの製造工程を示す製造工程概略図を示したものである。
【図４】図３（ｂ）中に破線で示されたIV部の拡大図を示したものである。
【図５】図３（ｃ）中に破線で示されたV部の拡大図を示したものである。
【図６】本実施形態にかかる低騒音カッターを駆動軸に取り付けた状態を示す概略断面図である。
【図７】従来技術にかかるカッターの概略平面図である。
【符号の説明】
【００６８】
１０    低騒音カッター
１１    カッター基盤
１２    チップ
１３    取付穴
３１    スリット
３２    充填剤
３３    樹脂層
３４    第一銅粉末塗装層
３５    第二銅粉末塗装層
３６    メタリック層
Ｆ    フランジ
Ｊ    駆動軸
Ｎ    フランジ締付ナット
【図１】
2006103217.tif 000003
【図２】
2006103217.tif 000004
【図３】
2006103217.tif 000005
【図４】
2006103217.tif 000006
【図５】
2006103217.tif 000007
【図６】
2006103217.tif 000008
【図７】
2006103217.tif 000009